(57)【要約】【課題】半紙や下敷きに折り目線が入らないように持ち運びできるシートホルダーを提供する。【解決手段】シートホルダー１は、１つの面が開口された直方体箱型形状の保持体１１と、保持体１１の面を構成する第１面シート２６を含む平面上に、開口面２５の端縁から更に延長された長方形形状の延長体２８と、その延長体２８の長辺に接続された長方形形状の折り返し体２２と、折り返し体２２のもう一方の長辺に接続された長方形形状のカバー体１２とからなる。このカバー体１１を閉じると、第１面シート２６に対向する第２面シート１５の長辺２９と折り返し体２２とが延長体２８の短辺の長さの分だけ離れて位置する。又、折り返し体２２の短辺１６の長さは、側面シート１７ａの短辺１４ａの長さより長いので、開口面２５近傍で第２面シート１５とカバー体１２とが接する事はない。これにより折り返し体２２と第２面シート１５の開口面２５側の長辺２９との間に常に空間ができる。【選択図】　　　　図２
2004066607.tif 000002
【特許請求の範囲】
【請求項１】
半紙等のシート状の収納物を折り曲げた状態で収納するためのシートホルダーであって、
直方体箱型形状を有し、対向する第１面シートと第２面シートとの間の第３面が開口された保持体と、
前記第１面シートの前記第３面側の第１辺に接続され、前記第１面シートが含まれる平面上に延長された、長方形シート形状の延長体と、
前記第１辺に平行な前記延長体の第２辺に折り曲げ自在に接続され、前記第２面シート側で且つ前記第３面に略平行に伸びる長方形シート形状の折り返し体と、
前記第２辺に平行な前記折り返し体の第３辺に折り曲げ自在に接続され、前記第２面シート側で且つ前記第２面シートを覆うように伸びる長方形シート形状のカバー体とを備え、
前記折り返し体の前記第３辺に隣接する辺の長さが、前記第１面シートと前記第２面シートとの対向距離より大きい、シートホルダー。
【請求項２】
前記カバー体の大きさは、前記第１面シートに前記延長体を加えた大きさに略等しい、請求項１記載のシートホルダー。
【請求項３】
前記カバー体を、前記第２面シートに対して所望の離れた位置で前記保持体に連結することができる連結手段を更に備えた、請求項２に記載のシートホルダー。
【請求項４】
前記第２面シートには、前記第３面側の辺に切欠きが形成される、請求項１から請求項３のいずれかに記載のシートホルダー。
【請求項５】
半紙等のシート状の収納物を折り曲げた状態で収納するシートホルダーであって、
前記折り曲げられた前記収納物の間に挟まれ、前記収納物をその一辺で支持する矩形シート状の支持体と、
前記支持体の第１面及び第２面の各々に対して、所定距離離れた対向状態に配置された矩形シート形状の第１カバー体及び第２カバー体と、
前記第１カバー体及び前記第２カバー体の各々の前記一辺に隣接する辺同士に対して、各々折り曲げ自在に接続する矩形シート状の折り返し体とを備え、
前記折り返し体は、前記支持体の前記一辺から所定距離離れている、シートホルダー。
【発明の詳細な説明】
【０００１】
【発明の属する技術分野】
この発明は、シートホルダーに関し、特に習字のために持ち運ぶ半紙等のシートを保持するシートホルダーに関するものである。
【０００２】
【従来の技術】
図１０は、従来の書写セットを持ち運び可能な状態に、閉じた状態を示す全体図であり、図１１は、図１０に示した書写セットを展開した状態を示す図である。
【０００３】
これらの図を参照して、従来の書写セットは、手提げして持ち運ぶための手提げ紐５３を外部に設けた鞄５０と、鞄５０に収納される硯５６や筆等の道具を収めた直方体形状のトレー５５とからなる。この鞄５０は、各々が長方形形状である、前面カバー６１と、上面シート６２と、後面シート６３と、底面シート６４と、前面シート６５とからなり、各々の長辺同士が折り曲げ自在に接続されている。すなわち、鞄５０を展開すると、長方形形状の１枚のシート状になる。又、後面シート６３の短辺に、後面シート６３の面に対して垂直に一対の側方ガイド５４ａ，５４ｂが設けられている。
【０００４】
又、この鞄５０の内側には、ほぼ全面に内張布５２が張られている。内張り布５２は長方形形状であり、展開した鞄５０の長辺及び前面カバー６１側の短辺の縁部で縫合されている。一方、他方の短辺は、鞄５０の縁部までなく、やや内方に入った所に位置する。この短辺は、縫合せずに開口部５７としている。すなわち内張布５２によって、鞄５０の内方面側に収納袋５１を備えることになる。この収納袋５１に半紙２０や下敷き２１等の薄いシート状のものを収納することができる。
【０００５】
この鞄５０にトレー５５を収納するときは、一対の側方ガイド５４ａ，５４ｂの間で、後面シート６３の内張布５２上にトレー５５を配置する。そして、上面シート６２、底面シート６４、前面シート６５でトレー５５を巻き込むように包む。最後に前面シート６５と前面カバー６１とを図示しない面状ファスナーで固定する。これにより持ち運びしたときに鞄５０が展開することはない。このとき鞄５０の両側面には側面ガイド５４ａ，５４ｂが設けられているので、トレー５５が側面から落下することはない。
【０００６】
【発明が解決しようとする課題】
上記のように従来の書写セットの鞄に設けられた収納袋では、半紙や下敷き等を収納し鞄を持ち運びできる状態にすると、後面シートと底面シートとの接合部及び底面シートと前面シートとの接合部で、半紙や下敷きも折り曲げられることになる。特に持ち運ぶときに、トレー等の重みによってこの部分がトレーの角で押さえ付けられるため、半紙等に折り目線が入ることがある。このように折り目線の入った半紙では、文字を書き難い。
【０００７】
又、書写セットの鞄に設けられた収納袋は、開口部を大きく開くことができない。そのため半紙等の薄いシートを収納するときに途中で引っかかり皺になったりすることがある。このように皺になることを防止するためには、半紙等の端部を持ち、手を半紙と共に収納袋の最深部まで入れていく等の工夫をしなければならない。
【０００８】
又、学校の習字の授業等で文字を書いたときは、時間が限られているため、十分に乾いていない習字の半紙を収納することがある。この場合、収納袋内では半紙同士が密着するので、長時間湿気のある状態になることがある。
【０００９】
この発明は、上記のような課題を解決するためになされたもので、半紙や下敷きを密着状態にせず、且つ皺や折り目線が入らないように持ち運びできるシートホルダーを提供することを目的とする。
【００１０】
【課題を解決するための手段】
上記の目的を達成するために請求項１に記載の発明は、半紙等のシート状の収納物を折り曲げた状態で収納するためのシートホルダーであって、直方体箱型形状を有し、対向する第１面シートと第２面シートとの間の第３面が開口された保持体と、第１面シートの第３面側の第１辺に接続され、第１面シートが含まれる平面上に延長された、長方形シート形状の延長体と、第１辺に平行な延長体の第２辺に折り曲げ自在に接続され、第２面シート側で且つ第３面に略平行に伸びる長方形シート形状の折り返し体と、第２辺に平行な折り返し体の第３辺に折り曲げ自在に接続され、第２面シート側で且つ第２面シートを覆うように伸びる長方形シート形状のカバー体とを備え、折り返し体の第３辺に隣接する辺の長さが、第１面シートと第２面シートとの対向距離より大きいものである。
【００１１】
このように構成すると、直方体箱型形状の第１面シートが含まれる平面上に延長された延長体があるので、折り返し体を第２面シート側に折り返したときでも、折り返し体と第２面シートの第３面側の辺との間に常に空間ができる。又、折り返し体の第３辺に隣接する辺の長さが、第１面シートと第２面シートとの対向距離より大きいものであるので、カバー体を第２面シート側に折り返したときでも、第２面シートの第３面側の辺近傍の第２面シートの面とカバー体との間に常に空間ができる。
【００１２】
請求項２に記載の発明は、請求項１に記載の発明の構成において、カバー体の大きさは、第１面シートに延長体を加えた大きさに略等しいものである。
【００１３】
このように構成すると、カバー体を第２面シート側に折り返したとき、第２面シート全体をカバー体で覆うことができる。
【００１４】
請求項３に記載の発明は、請求項２に記載の発明の構成において、カバー体を、第２面シートに対して所望の離れた位置で保持体に連結することができる連結手段を更に備えたものである。
【００１５】
このように構成すると、連結手段によって、カバー体を、第２面シートに対して所望の離れた位置で保持体に連結することができる。そのため収納物の厚みによって第２面シートに対するカバー体の位置を変えることができる。
【００１６】
請求項４に記載の発明は、請求項１から請求項３のいずれかに記載の発明の構成において、第２面シートには、第３面側の辺に切欠きが形成されるものである。
【００１７】
このように構成すると、第２面シートの第３面側の辺に切欠きが形成されるので、この部分においては折り返し体と第２面シートとの距離が大きくなる。
【００１８】
請求項５に記載の発明は、半紙等のシート状の収納物を折り曲げた状態で収納するシートホルダーであって、折り曲げられた収納物の間に挟まれ、収納物をその一辺で支持する矩形シート状の支持体と、支持体の第１面及び第２面の各々に対して、所定距離離れた対向状態に配置された矩形シート形状の第１カバー体及び第２カバー体と、第１カバー体及び第２カバー体の各々の一辺に隣接する辺同士に対して、各々折り曲げ自在に接続する矩形シート状の折り返し体とを備え、折り返し体は、支持体の一辺から所定距離離れているものである。
【００１９】
このように構成すると、支持体の第１面及び第２面に対向して所定距離離れて第１カバー及び第２カバーが配置されているので、支持体と第１カバー及び第２カバーとの間には常に空間ができる。又、支持体の一辺と折り返し体とは所定距離離れて配置されているので、支持体と折り返し体との間には常に空間ができる。
【００２０】
【発明の効果】
以上説明したように、請求項１に記載の発明は、折り返し体及びカバー体を折り返したとき、折り返し体と第２面シートとの間に常に空間ができ、又、第３面近傍で第２面シートとカバー体との間に常に空間ができる。これにより、保持体にシート状の収納物の一部を入れ、残りの部分を、第２面シートを挟み込むように折り返し、更に収納物を覆うように折り返し体及びカバー体を折り返して、収納物をシートホルダーに収納したときでも、収納物の折り曲げ部分に常に空間ができる。そのため、収納物の折り曲げ部分が押さえ付けられることがないので、折り目線が入ることはない。又、保持体に収納物の一部を入れるとき、第１面シートと第２面シートとが所定距離離れているので、収納物に皺が入らない。更に、収納物が押さえ付けられないので、収納物同士が密着した状態にならず、通気性が保たれる。そのため、十分乾燥していない習字の半紙を収納した場合であっても乾燥しやすい。又、シートホルダーが外部から押さえ付けられても、収納物の折り曲げ部分は押さえ付けられることがないので、このシートホルダーごと鞄の中に入れることができ携帯に便利である。
【００２１】
請求項２に記載の発明は、請求項１に記載の発明の効果に加えて、第２面シート全体をカバー体で覆うことができる。これにより、収納物の略半分を保持体に入れ保持体に入っていない収納物の略半分を、第２面シートを挟むように２つ折りにして収納した場合であっても、折り返された略半分をカバー体で覆うことができる。そのため、収納物をカバー体で保護することができる。よって収納物が皺になったり折れたりすることがない。
【００２２】
請求項３に記載の発明は、請求項２に記載の発明の効果に加えて、カバー体を、第２面シートに対して所望の離れた位置で保持体に連結することができる。これにより、重ね合わされた収納物の厚さに応じて容易にカバー体と第２面シートとの間隔を調整できるので使い勝手が良い。
【００２３】
請求項４に記載の発明は、請求項１から請求項３のいずれかに記載の発明の効果に加えて、第２面シートの第３面側の辺に切欠が形成されるので、この部分においては折り返し体と第２面シートとの距離が大きくなる。そのため収納物の厚みが増えたときでも空間ができる。更に、第２面シートにも開口部ができるので保持体の通気性も良くなる。
【００２４】
請求項５に記載の発明は、支持体と第１カバー体及び第２カバー体との間に常に空間ができる。又、支持体と折り返し体との間にも常に空間ができる。これにより、シート状の収納物を、支持体を挟むように折り曲げた状態で収納したとき、収納物の折り返し部分近傍には、常に空間ができる。そのため、収納物の折り返し部分が強く押さえられることがないので、折り目線が入ることがない。
【００２５】
【発明の実施の形態】
図１は、この発明の第１の実施の形態によるシートホルダーの全体斜視図であり、図２は、図１に示したシートホルダーのカバー体を開いた状態を示す斜視図であり、図３は、図１に示したシートホルダーを展開した状態を示す平面図である。
【００２６】
これらの図を参照して、シートホルダー１は、１枚の合成樹脂シートを打ち抜き、これを折り曲げ加工することで得られる。この合成樹脂シートは、各々が長方形形状である、カバー体１２と、折り返し体２２と、延長体２８及び第１面シート２６と、底面シート２７と、第２面シート１５とからなり、各々の長辺同士が折り曲げ自在に接続されている。
【００２７】
ここで、第１面シート２６の短辺３５の長さは、第２面シート１５の短辺３４の長さと同じである。第１面シート２６と延長体２８とは、一点鎖線で示した補助線（図３参照）を境界として同一平面上で接続されている。
【００２８】
又、第１面シート２６及び延長体２８の短辺３５，４３に、一対の長方形形状の側面シート１７ａ，１７ｂが接続されている。更に、第２面シート１５の短辺３４にも、側面シート１７ａ，１７ｂと同じ形状をした一対の側面シート１７ｃ，１７ｄが接続されている。又、第１シート２６の短辺３５と延長体２８の短辺４３とを合わせた長さと、カバー体１２の短辺３３の長さとがほぼ同じである。更に、折り返し体２２の短辺１６の長さは、側面シート１７ａの短辺１４ａの長さより長い。又、底面シート２７の短辺３０の長さと側面シート１７ａの短辺１４ａは同じ長さである。
【００２９】
又、底面シート２７の片面の中央部とカバー体１２の長辺の中央部の端縁とに面状ファスナー１９，１８が設けられている。
【００３０】
次にこの合成樹脂シートをシートホルダー１に組み立てるには、側面シート１７ａ，１７ｂ，１７ｃ，１７ｄを、それぞれ第１面シート２６及び第２面シート１５の面に対して垂直になるように、面状ファスナー１９を設けた面と逆方向に折り曲げる。そして第２面シート１５と第１面シート２６とが図３で示した面が内面として対向するように接合片３１及び接合片３２の部分で折り曲げる。そして、側面シート１７ａと側面シート１７ｃと、及び側面シート１７ｂと側面シート１７ｄとの互いの面が当接するようにする。このように当接した側面シート１７ａ，１７ｂ，１７ｃ，１７ｄ同士を熱溶着又は超音波溶接によって接合させ保持体１１を形成する。
【００３１】
このように組み立てられた保持体１１は、図２に示すように第１面シート２６と第２面シート１５とが平行に対向し、側面シート１７ａの短辺１４ａの長さ分だけ離れて保持されている。シートホルダー１は、保持体１１と、第１面シート２６が含まれる平面上に、開口面２５の一点鎖線で示した端縁から更に延長された延長体２８と、その延長体２８に接続された折り返し体２２と、折り返し体２２に接続されたカバー体１２とからなる。又、延長体２８と折り返し体２２との接合辺である第２辺２３及び折り返し体２２とカバー体１２との接合辺である第３辺２４は、折り曲げ自在である。又、切欠き１３は、第２面シート１５の開口面２５側の長辺２９に位置する。
【００３２】
又、シートホルダー１のカバー体１２を閉じるには、延長体２８に接続された折り返し体２２を、第２辺２３で開口面２５に平行に対向するように折り返し、更に、カバー体１２を第３辺２４で第２面シート１５と対向するように折り返す。その後、底面シート２７に設けられた面状ファスナー１９とカバー体１２に設けられた面状ファスナー１８とを連結させる。これにより、保持体１１にカバー体１２を固定させることができる。
【００３３】
図４は、図１に示したＩＶ−ＩＶラインの断面図である。
【００３４】
図を参照して、このようにカバー体１２を閉じたとき、折り返し体２２の短辺１６の長さは、側面シート１７ｂの短辺１４ｂの長さより長いので、開口面２５近傍の第２面シート１５の面とカバー体１２とが接することはない。更に、延長体２８によって折り返し体２２が開口面２５から離れて位置するので、折り返し体２２と第２面シート１５の開口面２５側の長辺２９との間に常に空間４５ができる。又、第２面シート１５の開口面２５側の長辺２９に切欠き１３が設けられているので、切欠き１３の位置において折り返し体２２と第２面シート１５の開口面２５側の縁部４４との距離が大きくなる。
【００３５】
次に、シートホルダー１にシート状の収納物を収納する方法について説明する。
【００３６】
図５は、図１で示したシートホルダーにシート等を収納する状態を示した斜視図であり、図６は、図５に対応した図であり、カバー体が閉じられた状態を示した斜視図である。
【００３７】
これらの図を参照して、複数枚の半紙２０や下敷き２１を重ね合わせて、そのほぼ半分をシートホルダー１の保持体１１に入れる。
【００３８】
次に保持体１１に入っていない残りの部分を、第２面シート１５を挟み込むように折り返す。その後カバー体１２を折り返して面状ファスナー１８，１９で保持体１１にカバー体１２を固着させる。このとき固着手段に面状ファスナー１８，１９を使用しているので収納する半紙２０等が増えて厚みが変わってもその厚みに応じてカバー体１２を第２面シート１５から離した状態で固着位置を選択できるので使い勝手が良い。
【００３９】
図７は、図６に示したＶＩＩ−ＶＩＩラインの断面図である。
【００４０】
図を参照して、半紙２０や下敷き２１の一部を保持体１１に入れるとき、第１面シート２６と第２面シート１５とは常に側面シート１７ｂの短辺１４ｂの長さ分だけ離れているので、半紙２０や下敷き２１に皺がはいらないように入れることができる。又、半紙２０や下敷き２１の折り曲げ部分に空間４５ができるので、この部分で半紙２０や下敷き２１が密着することがない。そのため、このシートホルダー１は外部から押さえ付けられても、収納物の折り曲げ部分が押さえ付けられることがないので、ランドセル等の中に入れることができ便利である。又、切欠き１３が設けてあるので折り返し体２２と第２面シート１５の開口面２５側の端縁４６との間が更に開くので、切欠き１３の部分で半紙２０等が押さえ付けられることがない。
【００４１】
図８は、図６に示したＶＩＩ−ＶＩＩラインの断面図である。
【００４２】
図を参照して、折り返し体２２近傍は、第２面シート１５とカバー体１２との間に常に空間ができ、又、カバー体１２の短辺３３と第２面シート１５の短辺３４との間隙４７が通気口の役割をするので通気性がある。更にこの間隙４７は、他端側にもあるので一層通気性が増す。又、第２面シート１５に設けられた切欠き１３によって保持体１１内部との通気性がある。
【００４３】
図９は、この発明の第２の実施の形態によるシートホルダーに収納物を収納した状態をその要部のみを模式的に示した断面斜視図である。
【００４４】
図を参照して、シートホルダー１は、矩形シート状の支持体３６と、支持体３６の第１面に対向し且つ所定距離離れて設けられた矩形シート形状の第１カバー体３７と、支持体３６の第２面に対向し且つ所定距離離れて設けられた矩形シート形状の第２カバー体３８と、支持体３６の上方辺４２に隣接する、第１カバー体３７の上方辺３９と第２カバー体３８の上方辺４０とを掛け渡すように設けられた矩形シート状の折り返し体４１とからなっている。このとき支持体３６の上方辺４２と折り返し体４１とは所定距離離れて設けられている。
【００４５】
又、第１カバー体３７の上方辺３９と第２カバー体３８の上方辺４０とは折り曲げ自在に構成されているので、第１カバー体３７と折り返し体４１を跳ね上げることにより第１カバー体３７、折り返し体４１、第２カバー体３８が同一面上なるように配置できる。尚、実際のシートホルダーとしては、支持体３６と第１カバー体３７、折り返し体４１及び第２カバー体３８との位置関係が図示しない手段で保持され、又、これらの両端は図示しない手段で塞がれるものである。
【００４６】
このシートホルダー１にシート状の収納物である半紙２０を収納するには、第１カバー体３７と折り返し体４１を跳ね上げ、半紙２０を略半分に折り目線が入らないように折り曲げ、折り曲げ部分を支持体３６の上方辺４２に掛ける。これによって半紙２０は、支持体３６に支持され、支持体３６は、半紙２０の間に挟まれた状態になる。次に跳ね上げた第１カバー体３７と折り返し体４１とを元の状態に戻す。
【００４７】
このとき支持体３６の上方辺４２と折り返し体４１とは所定距離はなれているので半紙２０の折り曲げ部分を押さえ付けることはない。又、支持体３６の両面の各々に対して、第１カバー体３７と第２カバー体３８とが所定距離離れて対向状態に配置されるので半紙２０を押さえ付けることはない。これによって半紙２０を持ち運ぶとき、折り曲げ部分に自重以外の力がかからないので折り目線が入ることはない。
【００４８】
尚、上記の第１の実施の形態では固着手段に面状ファスナーを用いたが、保持体にカバー体を所望の位置で固着することができるものであれば良いので、例えば、紐等で結びつけるようにしても良い。
【図面の簡単な説明】
【図１】この発明の第１の実施の形態によるシートホルダーの全体斜視図である。
【図２】図２は、図１に示したシートホルダーのカバー体を開いた状態を示した斜視図である。
【図３】図１に示したシートホルダーの展開した状態を示した平面図である。
【図４】図１に示したＩＶ−ＩＶラインの断面図である。
【図５】図１で示したシートホルダーにシート等を収納する状態を示した斜視図である。
【図６】図５に対応した図であり、カバー体を閉じた状態を示した斜視図である。
【図７】図６に示したＶＩＩ−ＶＩＩラインの断面図である。
【図８】図６に示したＶＩＩＩ−ＶＩＩＩラインの断面図である。
【図９】この発明の第２の実施の形態によるシートホルダーの断面斜視図である。
【図１０】従来の書写セットの閉じた状態を示す全体斜視図である。
【図１１】図１０に示した書写セットの展開した状態を示す斜視図である。
【符号の説明】
１１…保持体
１２…カバー体
１３…切欠き
１５…第２面シート
１８…面状ファスナー
１９…面状ファスナー
２２…折り返し体
２３…第２辺
２４…第３辺
２５…開口面
２６…第１面シート
２８…延長体
２９…長辺
３６…支持体
３７…第１カバー体
３８…第２カバー体
４１…折り返し体
４２…上方辺
尚、各図中同一符号は同一又は相当部分を示す。
【図１】
2004066607.tif 000003
【図２】
2004066607.tif 000004
【図３】
2004066607.tif 000005
【図４】
2004066607.tif 000006
【図５】
2004066607.tif 000007
【図６】
2004066607.tif 000008
【図７】
2004066607.tif 000009
【図８】
2004066607.tif 000010
【図９】
2004066607.tif 000011
【図１０】
2004066607.tif 000012
【図１１】
2004066607.tif 000013